(57)【要約】      （修正有）【課題】レバーを初期位置に確実に保持できるレバー式コネクタを提供する。【解決手段】相手側ハウジングに嵌合されるハウジング１４と、ハウジングの外面１６に装着され、相手側ハウジングとの嵌合開始前に位置する初期位置と相手側ハウジングとの嵌合完了時に位置する嵌合完了位置との間を回動可能とされたレバー１８とを備えるレバー式コネクタ１０であって、レバーは、ハウジングの外面と平行に配されて片持ち状に延びる弾性片３０と、弾性片を囲う周壁３２から弾性片側に突出して設けられた突出壁３８とを備え、弾性片３０は、ハウジングの外面１６に近づくほど弾性片の基端側に向かう係止面を有し、ハウジングは、ハウジングの外面から遠ざかるほど弾性片の先端側に向かう被係止面を有し、弾性片は、係止面と被係止面が係止した状態でレバーが初期位置から嵌合完了位置に回動させられた場合に、突出壁とハウジングの外面との間に入り込む。【選択図】図３
2020126714.tif 000002
【特許請求の範囲】
【請求項１】
相手側ハウジングに嵌合されるハウジングと、前記ハウジングの外面に装着され、前記相手側ハウジングとの嵌合開始前に位置する初期位置と前記相手側ハウジングとの嵌合完了時に位置する嵌合完了位置との間を回動可能とされたレバーと、を備えるレバー式コネクタであって、
前記レバーは、
前記ハウジングの外面と平行に配されて片持ち状に延びる弾性片と、
前記弾性片を囲う周壁から前記弾性片側に突出して設けられた突出壁と、を備
え、
前記弾性片は、前記ハウジングの外面に近づくほど前記弾性片の基端側に向かう係止面を有し、
前記ハウジングは、前記ハウジングの外面から遠ざかるほど前記弾性片の先端側に向かう被係止面を有し、
前記弾性片は、前記係止面と前記被係止面が係止した状態で前記レバーが前記初期位置から前記嵌合完了位置に回動させられた場合に、前記突出壁と前記ハウジングの外面との間に入り込むレバー式コネクタ。
【請求項２】
前記レバーは、前記ハウジングの外面に突出して設けられた軸部が嵌まり込む軸孔を有し、
前記係止面は、前記初期位置において前記軸孔から遠い外側から前記被係止面に係止し始めるように、前記被係止面に対して傾いて設けられている請求項１に記載のレバー式コネクタ。
【請求項３】
前記弾性片は、一対の側縁と、前記一対の側縁の先端同士を連結する先端縁と、を有し、前記一対の側縁のうち前記突出壁に近い側縁の基端は、前記突出壁から遠い側縁の基端よりも前記先端縁側に位置している請求項１又は請求項２に記載のレバー式コネクタ。
【請求項４】
前記弾性片は、先端側の中心を通る軸線が基端側の中心を通る軸線よりも前記突出壁から遠くなるように設けられている請求項１から請求項３のいずれか１項に記載のレバー式コネクタ。
【発明の詳細な説明】
【技術分野】
【０００１】
本開示は、レバー式コネクタに関する。
【背景技術】
【０００２】
特許文献１にはレバー式コネクタが記載されている。このレバー式コネクタは、互いに嵌合される雄ハウジングと雌ハウジングとを備え、雄ハウジングに対してレバーが装着されている。雄ハウジングには係止孔が設けられており、レバーには、弾性係止片が設けられている。弾性係止片には、係止部が突設されている。
【０００３】
レバーの初期位置では、弾性係止片の係止部は雄ハウジングの係止孔内に収容されている。レバーの初期位置において、レバーが回動しようとすると、弾性係止片の係止部が雄ハウジングの係止孔の側壁に当たる。これにより、レバーが回動変位することが抑制され、レバーは初期位置に保持される。
【先行技術文献】
【特許文献】
【０００４】
【特許文献１】特開２０１３−２０９０４号公報
【発明の概要】
【発明が解決しようとする課題】
【０００５】
しかしながら、レバーの初期位置において、例えば、レバーを回動方向に強く押すと、弾性係止片の係止部が雄ハウジングの係止孔の側壁に強く当たることで係止孔の開口縁上に乗り上げ、レバーが初期位置から変位することがあり得る。
【０００６】
本開示は上記のような事情に基づいて完成されたものであって、レバーを初期位置に確実に保持することを目的とする。
【課題を解決するための手段】
【０００７】
本開示のレバー式コネクタは、相手側ハウジングに嵌合されるハウジングと、前記ハウジングの外面に装着され、前記相手側ハウジングとの嵌合開始前に位置する初期位置と前記相手側ハウジングとの嵌合完了時に位置する嵌合完了位置との間を回動可能とされたレバーと、を備えるレバー式コネクタであって、前記レバーは、前記ハウジングの外面と平行に配されて片持ち状に延びる弾性片と、前記弾性片を囲う周壁から前記弾性片側に突出して設けられた突出壁と、を備え、前記弾性片は、前記ハウジングの外面に近づくほど前記弾性片の基端側に向かう係止面を有し、前記ハウジングは、前記ハウジングの外面から遠ざかるほど前記弾性片の先端側に向かう被係止面を有し、前記弾性片は、前記係止面と前記被係止面が係止した状態で前記レバーが前記初期位置から前記嵌合完了位置に回動させられた場合に、前記突出壁と前記ハウジングの外面との間に入り込むレバー式コネクタである。
【発明の効果】
【０００８】
本開示によれば、レバーを初期位置に確実に保持できるレバー式コネクタを提供することが可能となる。
【図面の簡単な説明】
【０００９】
【図１】図１は、実施形態に係るレバー式コネクタにおいて、レバーが嵌合完了位置に位置していることを説明する平面図である。
【図２】図２は、レバー式コネクタにおいて、レバーが初期位置に位置していることを説明する平面図である。
【図３】図３は、レバー式コネクタにおいて、初期位置においてレバーが強く回動させられた状態を説明する平面図である。
【図４】図４は、レバー式コネクタにおける正面図である。
【図５】図５は、図２におけるＡ−Ａ断面図である。
【図６】図６は、図５における係止面および被係止面付近の拡大図である。
【図７】図７は、図２におけるＢ−Ｂ断面図である。
【図８】図８は、図３におけるＣ−Ｃ断面図である。
【図９】図９は、図４におけるＤ−Ｄ断面図である。
【図１０】図１０は、図９における係止面および被係止面付近の拡大図である。
【図１１】図１１は、初期位置においてレバーが強く回動させられた状態を説明する図であって、図１０と対応する断面図である。
【図１２】図１２は、図２における弾性片付近の拡大図である。
【発明を実施するための形態】
【００１０】
＜本開示の実施形態の説明＞
最初に本開示の実施形態を列記して説明する。
（１）本開示のレバー式コネクタは、相手側ハウジングに嵌合されるハウジングと、前記ハウジングの外面に装着され、前記相手側ハウジングとの嵌合開始前に位置する初期位置と前記相手側ハウジングとの嵌合完了時に位置する嵌合完了位置との間を回動可能とされたレバーと、を備えるレバー式コネクタであって、前記レバーは、前記ハウジングの外面と平行に配されて片持ち状に延びる弾性片と、前記弾性片を囲う周壁から前記弾性片側に突出して設けられた突出壁と、を備え、前記弾性片は、前記ハウジングの外面に近づくほど前記弾性片の基端側に向かう係止面を有し、前記ハウジングは、前記ハウジングの外面から遠ざかるほど前記弾性片の先端側に向かう被係止面を有し、前記弾性片は、前記係止面と前記被係止面が係止した状態で前記レバーが前記初期位置から前記嵌合完了位置に回動させられた場合に、前記突出壁と前記ハウジングの外面との間に入り込むレバー式コネクタである。
弾性片の係止面がハウジングの被係止面に係止することで、レバーが初期位置から嵌合完了位置に向けて回動することを抑制できる。
また、初期位置においてレバーが嵌合完了位置に向けて強く回動させられた場合、弾性片の係止面は被係止面から外れようとする。このとき、弾性片の係止面は、ハウジングの外面に近づくほど基端側に向かうように傾斜した、いわゆる逆テーパ状とされていることから、係止面が被係止面から外れることを抑制できる。この結果、弾性片は突出壁とハウジングの外面との間に入り込み、突出壁によっても係止面が被係止面から外れることを抑制でき、もってレバーを初期位置に確実に保持できる。
【００１１】
（２）前記レバーは、前記ハウジングの外面に突出して設けられた軸部が嵌まり込む軸孔を有し、前記係止面は、前記初期位置において前記軸孔から遠い外側から前記被係止面に係止し始めるように、前記被係止面に対して傾いて設けられていることが好ましい。
係止面は、軸孔から遠い外側から被係止面に係止し始めるように、係止面に対して傾いて設けられていることから、初期位置においては係止面と被係止面との間に隙間が生じることになるものの、レバーが強く回動させられた際に、弾性片が外側から突出壁とハウジングの外面との間に向けて押し込まれるように作用する。隙間がなくなった状態となって係止面と被係止面が強く係止すると、係止面が被係止面から外れようとするような大きな力が生じても、係止面と被係止面の係止状態を維持できる。
【００１２】
（３）前記弾性片は、一対の側縁と、前記一対の側縁の先端同士を連結する先端縁と、を有し、前記一対の側縁のうち前記突出壁に近い側縁の基端は、前記突出壁から遠い側縁の基端よりも前記先端縁側に位置していることが好ましい。
弾性片が突出壁側に撓む際に、突出壁から遠い側縁には引っ張り荷重がかかり、突出壁に近い側縁には、圧縮荷重がかかることとなる。一般に、樹脂は圧縮荷重よりも引っ張り荷重に弱く、引っ張り荷重によって破断しやすい性質を有する。ここで、突出壁に近い側縁の基端は、突出壁から遠い側縁の基端よりも先端縁側に位置していることから、突出壁から遠い側縁の基端から先端までの長さは、突出壁に近い側縁の基端から先端までの長さよりも長くなる。したがって、突出壁から遠い側縁の基端にかかる引っ張り荷重は、より広い範囲に分散されることとなる。これにより、引っ張り荷重により弾性片が破断することを抑制できる。
【００１３】
（４）前記弾性片は、先端側の中心を通る軸線が基端側の中心を通る軸線よりも前記突出壁から遠くなるように設けられていることが好ましい。
レバーの回動に伴って弾性片が強く引っ張られると、弾性片における先端側の中心位置を通る軸線は、基端側の中心位置を通る軸線に近づこうとする。このため、弾性片における先端側の中心位置を通る軸線と基端側の中心位置を通る軸線とが同軸上にある場合に比べて弾性片の変位量が大きくなり、突出壁とハウジングの外面との間により入り込み易くなる。
【００１４】
＜本開示の実施形態の詳細＞
本開示のレバー式コネクタの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００１５】
本実施形態におけるレバー式コネクタ１０は、図１、図２に示すように、雄ハウジング（相手側ハウジング）１２に嵌合される雌ハウジング（ハウジング）１４と、雌ハウジング１４の外面１６に装着されるレバー１８とを備えている。レバー１８は雌ハウジング１４および雄ハウジング１２の嵌合開始前に位置する初期位置（図２におけるレバー１８の位置）と、雌ハウジング１４および雄ハウジング１２の嵌合完了時に位置する嵌合完了位置（図１におけるレバー１８の位置）との間を回動可能とされている。以降の説明では雌ハウジング１４の嵌合方向（図１および図２における図示上側から図示下側に向かう方向）は前後方向の前方であり、離脱方向は前後方向の後方である。また、図４における雌ハウジング１４における下面１６Ｂから上面１６Ａに向かう方向は上下方向の上方である。また、図１、図２に示す図示左側から図示右側に向かう方向は左右方向の右方である。
【００１６】
雌ハウジング１４は合成樹脂製であって、図２、図４に示すように、全体として扁平な直方体形状をなしている。雌ハウジング１４の前面には、図４に示すように、雌端子（図示せず）が収容される複数のキャビティが開口して設けられている。
【００１７】
図１、図２に示すように、雌ハウジング１４における外面１６を構成する上面１６Ａには軸部２０および被ロック部２２が設けられている。図５に示すように、被ロック部２２は上面１６Ａから上方に突出して設けられている。また、雌ハウジング１４における外面１６を構成する下面１６Ｂについても同様に軸部（図示せず）および被ロック部２２が設けられている。
【００１８】
図５に示すように、レバー１８は上下一対のアーム板２４を備えて構成されており、一対のアーム板２４同士は操作部２６において連結されている。一対のアーム板２４は雌ハウジング１４の上面１６Ａおよび下面１６Ｂにそれぞれ平行に配されている。以降のアーム板２４に関する説明では雌ハウジング１４の上面１６Ａ側に位置するアーム板２４についてのみ説明をし、下面１６Ｂ側に位置するアーム板２４については上面１６Ａ側のアーム板２４と同一構成のため図面上に上面１６Ａ側のアーム板２４と同じ符号を振って説明を省略する。
【００１９】
図１、図２に示すように、アーム板２４には雌ハウジング１４の軸部２０に嵌まり込む軸孔２８が開口して設けられており、レバー１８は雌ハウジング１４に対して軸部２０を中心に回動方向Ｄ１、Ｄ２に回動可能となっている。ここで回動方向Ｄ１はレバー１８が初期位置から嵌合完了位置に向かう方向とされ、回動方向Ｄ２はレバー１８が嵌合完了位置から初期位置に戻る方向とされる。
【００２０】
図１に示すように、アーム板２４における軸孔２８の図示左側にはＵ字形状に切欠いた形状をなすスリットが設けられており、このスリットによって弾性片３０が形成されている。弾性片３０は片持ち状に延びており上下方向に弾性変位可能とされる。弾性片３０の周縁のうち、左右両側に位置する周縁は一対の側縁３４とされ、一対の側縁３４同士を連結する先端の周縁は先端縁３６とされる。
【００２１】
図１、図２に示すように、アーム板２４には弾性片３０を囲う周壁３２が設けられている。周壁３２は弾性片３０における一対の側縁３４および先端縁３６とそれぞれ対向している。一対の側縁３４と対向する周壁３２のうち、軸孔２８に近い側の周壁３２Ａには突出壁３８が弾性片３０側に突出して設けられている。図７、図８に示すように、突出壁３８は弾性片３０の上方に位置しており、突出壁３８の下面は突出壁３８の基端から先端に向けて上方に傾斜するテーパ状をなしている。
【００２２】
図１２に示すように、弾性片３０の一対の側縁３４のうち突出壁３８に近い側縁３４の基端３４Ａは、突出壁３８から遠い側縁３４の基端３４Ｂよりも先端縁３６側に位置している。これにより基端３４Ｂから先端縁３６までの長さＬ２は、基端３４Ａから先端縁３６までの長さＬ１よりも長さＬ３だけ長くなっている。
【００２３】
図１２に示すように、弾性片３０は基端３４Ａ、３４Ｂ側から先端縁３６側に向かって幅広となる形状をなしており、弾性片３０における先端縁３６側の中心を通る軸線Ａ１は、弾性片３０における基端３４Ａ、３４Ｂ側の中心を通る軸線Ａ２よりも突出壁３８から遠くなる方向に長さＬ４だけ離れて位置している。
【００２４】
図５、図６に示すように、弾性片３０における先端縁３６側には下方に突出するロック部４０が設けられている。ロック部４０には初期位置において雌ハウジング１４における被ロック部２２と対向する係止面４０Ａが設けられている。また、雌ハウジング１４における被ロック部２２にはロック部４０における係止面４０Ａと対向する被係止面２２Ａが設けられている。図２に示すように、初期位置において、レバー１８が嵌合完了位置に向かう回動方向Ｄ１に回動させられると、図１０に示すように、ロック部４０における係止面４０Ａは、被ロック部２２における被係止面２２Ａに回動方向Ｄ１から接触する。これにより、ロック部４０の係止面４０Ａは被ロック部２２の被係止面２２Ａに係止され、レバー１８が初期位置から嵌合完了位置に向けて回動することが抑制される。
【００２５】
図５、図６に示すように、係止面４０Ａは雌ハウジング１４における上面１６Ａに近づくほど（下方に向かうほど）、弾性片３０の基端側（図５、図６における図示左側）に向かうように傾斜する逆テーパ状をなしている。
【００２６】
図２に示すように、係止面４０Ａは初期位置において軸孔２８から遠い外側から被係止面２２Ａに接触し始めるように、被係止面２２Ａに対して傾いて設けられている。これにより、図１０に示すように係止面４０Ａと被係止面２２Ａとの間に隙間Ｇが生じている。
【００２７】
雄ハウジング１２が雌ハウジング１４に挿入されると、雄ハウジング１２に設けられた係止解除部（図示せず）が弾性片３０におけるロック部４０を上方に押し上げ、ロック部４０における被ロック部２２に対する係止が解除される。これによりレバー１８が回動方向Ｄ１へ回動可能となる。レバー１８が回動方向Ｄ１に回動させられ、レバー１８が初期位置から嵌合完了位置に移行することで、雌ハウジング１４と雄ハウジング１２との嵌合が完了する。
【００２８】
次に、本実施形態のレバー１８が初期位置から嵌合位置に向けて回動させられる動作は以下の通りである。
図３に示すように、レバー１８が回動方向Ｄ１に強く回動させられると、図１１に示すように、弾性片３０における係止面４０Ａは被係止面２２Ａに線で強く接触し、隙間Ｇがなくなった状態となる。このとき、弾性片３０は基端側から先端側に向かう方向Ｄ５（図３に示す）に強く引っ張られ、弾性片３０における先端縁３６側の軸線Ａ１は基端側の軸線Ａ２に近づこうとする。これにより、弾性片３０は突出壁３８側に大きく撓むこととなり、図３、図８に示すように、突出壁３８と雌ハウジング１４の上面１６Ａとの間に入り込むこととなる。このように、軸線Ａ１は、軸線Ａ２よりも突出壁３８から離れて位置していることから、軸線Ａ１と軸線Ａ２とが同軸上にある場合と比較して、弾性片３０は突出壁３８側により撓み易くなる。
【００２９】
弾性片３０が突出壁３８と雌ハウジング１４の上面１６Ａとの間に入り込んだ状態で、弾性片３０が上方に変位しようとすると、弾性片３０が突出壁３８に下方から接触し、弾性片３０の上方への変位が抑制される。これにより、レバー１８が強く回動させられた場合においても、弾性片３０における係止面４０Ａと被係止面２２Ａとの係止が解除されることを抑制できる。
【００３０】
弾性片３０が突出壁３８と雌ハウジング１４の上面１６Ａとの間に入り込んだ状態において、弾性片３０における突出壁３８から遠い側縁３４Ｂには引っ張り荷重がかかり、近い側縁３４の基端３４Ａには圧縮荷重がかかることとなる。一般に、樹脂は圧縮荷重よりも引っ張り荷重に弱く、引っ張り荷重によって破断しやすい性質を有する。ここで、図１２に示すように突出壁３８から遠い側縁３４における基端３４Ｂから先端までの長さＬ２は、突出壁３８に近い側縁３４における基端３４Ａから先端までの長さＬ１よりも長いことから、突出壁３８から遠い側縁３４の基端３４Ｂにかかる引っ張り荷重は、より広い範囲に分散されることとなる。これにより、引っ張り荷重により弾性片３０が破断することを抑制できる。
【００３１】
以上のように本実施形態によれば、弾性片３０の係止面４０Ａが雌ハウジング（ハウジング）１４の被係止面２２Ａに係止することで、レバー１８が初期位置から嵌合完了位置に向けて回動することを抑制できる。
また、初期位置においてレバーが嵌合完了位置に向けて強く回動させられた場合、弾性片３０の係止面４０Ａは被係止面２２Ａから外れようとする。このとき、弾性片３０の係止面４０Ａは、雌ハウジング（ハウジング）１４の上面（外面）１６Ａに近づくほど基端側に向かうように傾斜した、いわゆる逆テーパ状とされていることから、係止面４０Ａが被係止面２２Ａから外れることを抑制できる。この結果、弾性片３０は突出壁３８と雌ハウジング（ハウジング）１４の上面（外面）１６Ａとの間に入り込み、突出壁３８によっても係止面４０Ａが被係止面２２Ａから外れることを抑制でき、もってレバー１８を初期位置に確実に保持できる。
【００３２】
また、レバー１８は、雌ハウジング（ハウジング）１４の上面（外面）１６Ａに突出して設けられた軸部２０が嵌まり込む軸孔２８を有し、係止面４０Ａは、初期位置において軸孔２８から遠い外側から被係止面２２Ａに係止し始めるように、被係止面２２Ａに対して傾いて設けられている。
このように構成することで、係止面４０Ａは、軸孔２８から遠い外側から被係止面２２Ａに係止し始めるように、係止面４０Ａに対して傾いて設けられていることから、初期位置においては係止面４０Ａと被係止面２２Ａとの間に隙間Ｇが生じることになるものの、レバー１８が強く回動させられた際に、弾性片３０が外側から突出壁３８と雌ハウジング１４の上面１６Ａとの間に向けて押し込まれるように作用する。隙間Ｇがなくなった状態となって係止面４０Ａと被係止面２２Ａが強く係止すると、係止面４０Ａが被係止面２２Ａから外れようとするような大きな力が生じても、係止面４０Ａと被係止面２２Ａの係止状態を維持できる。
【００３３】
また、弾性片３０は、一対の側縁３４と、一対の側縁３４の先端同士を連結する先端縁３６と、を有し、一対の側縁３４のうち突出壁に近い側縁３４の基端３４Ａは、突出壁から遠い側縁３４の基端３４Ｂよりも先端縁３６側に位置している。
このように構成することで、弾性片３０が突出壁３８側に撓む際に、突出壁３８から遠い側縁３４には引っ張り荷重がかかり、突出壁３８に近い側縁３４には、圧縮荷重がかかることとなる。一般に、樹脂は圧縮荷重よりも引っ張り荷重に弱く、引っ張り荷重によって破断しやすい性質を有する。ここで、突出壁３８に近い側縁３４の基端３４Ａは、突出壁３８から遠い側縁３４の基端よりも先端縁３６側に位置していることから、突出壁３８から遠い側縁３４の基端３４Ｂから先端までの長さＬ２は、突出壁３８に近い側縁３４の基端３４Ａから先端までの長さＬ１よりも長くなる。したがって、突出壁３８から遠い側縁３４の基端３４Ｂにかかる引っ張り荷重は、より広い範囲に分散されることとなる。これにより、引っ張り荷重により弾性片３０が破断することを抑制できる。
【００３４】
また、弾性片３０は、先端側の中心を通る軸線Ａ１が基端側の中心を通る軸線Ａ２よりも突出壁３８から遠くなるように設けられている。
このように構成することで、レバー１８の回動に伴って弾性片３０が強く引っ張られると、弾性片３０における先端側の中心位置を通る軸線Ａ１は、基端側の中心位置を通る軸線Ａ２に近づこうとする。このため、弾性片３０における先端側の中心位置を通る軸線Ａ１と基端側の中心位置を通る軸線Ａ２とが同軸上にある場合に比べて弾性片３０の変位量が大きくなり、突出壁３８とハウジングの上面（外面）１６Ａとの間により入り込み易くなる。
【００３５】
＜他の実施形態＞
本明細書によって開示される技術は上記記述および図面によって説明した実施形態に限定されるものではなく、例えば次のような種々の態様も含まれる。
（１）上記実施形態では、ロック部４０は弾性片３０の先端縁３６側に位置する構成としたが、これに限られることはなく、例えば、ロック部は弾性片の先端縁と基端との間の中央に位置する構成としても良い。
（２）上記実施形態では、弾性片３０は、一対のアーム板２４に設けられる構成としたが、これに限られることはなく、例えば、弾性片は、一対のアーム板のうち一方のアーム板にのみ設けられる構成としても良い。
（３）上記実施形態では、レバー式コネクタ１０は雌ハウジング１４を備える雌型のレバー式コネクタ１０である構成としたが、上記実施形態における構成を雄型のレバー式コネクタに対して適用しても良い。
【符号の説明】
【００３６】
１０：レバー式コネクタ
１２：雄ハウジング（相手側ハウジング）
１４：雌ハウジング（ハウジング）
１６：外面
１６Ａ：上面
１６Ｂ：下面
１８：レバー
２０：軸部
２２：被ロック部
２２Ａ：被係止面
２４：アーム板
２６：操作部
２８：軸孔
３０：弾性片
３２，３２Ａ：周壁
３４：側縁
３４Ａ，３４Ｂ：基端
３６：先端縁
３８：突出壁
４０：ロック部
４０Ａ：係止面
Ａ１，Ａ２：軸線
Ｄ１，Ｄ２，Ｄ５：方向
Ｇ：隙間
Ｌ１，Ｌ２，Ｌ３，Ｌ４：長さ
【図１】
2020126714.tif 000003
【図２】
2020126714.tif 000004
【図３】
2020126714.tif 000005
【図４】
2020126714.tif 000006
【図５】
2020126714.tif 000007
【図６】
2020126714.tif 000008
【図７】
2020126714.tif 000009
【図８】
2020126714.tif 000010
【図９】
2020126714.tif 000011
【図１０】
2020126714.tif 000012
【図１１】
2020126714.tif 000013
【図１２】
2020126714.tif 000014
【手続補正書】
【提出日】令和1年12月24日(2019.12.24)
【手続補正１】
【補正対象書類名】明細書
【補正対象項目名】００１１
【補正方法】変更
【補正の内容】
【００１１】
（２）前記レバーは、前記ハウジングの外面に突出して設けられた軸部が嵌まり込む軸孔を有し、前記係止面は、前記初期位置において前記軸孔から遠い外側から前記被係止面に係止し始めるように、前記被係止面に対して傾いて設けられていることが好ましい。
係止面は、軸孔から遠い外側から被係止面に係止し始めるように、被係止面に対して傾いて設けられていることから、初期位置においては係止面と被係止面との間に隙間が生じることになるものの、レバーが強く回動させられた際に、弾性片が外側から突出壁とハウジングの外面との間に向けて押し込まれるように作用する。隙間がなくなった状態となって係止面と被係止面が強く係止すると、係止面が被係止面から外れようとするような大きな力が生じても、係止面と被係止面の係止状態を維持できる。
【手続補正２】
【補正対象書類名】明細書
【補正対象項目名】００２６
【補正方法】変更
【補正の内容】
【００２６】
図６に示すように、係止面４０Ａは初期位置において軸孔２８から遠い外側から被係止面２２Ａに接触し始めるように、被係止面２２Ａに対して傾いて設けられている。これにより、図１０に示すように係止面４０Ａと被係止面２２Ａとの間に隙間Ｇが生じている。
【手続補正３】
【補正対象書類名】明細書
【補正対象項目名】００２８
【補正方法】変更
【補正の内容】
【００２８】
次に、本実施形態のレバー１８が初期位置から嵌合位置に向けて回動させられる動作は以下の通りである。
図３に示すように、レバー１８が回動方向Ｄ１に強く回動させられると、図１１に示すように、弾性片３０における係止面４０Ａは被係止面２２Ａに線で強く接触し、隙間Ｇがなくなった状態となる。このとき、弾性片３０は先端側から基端側に向かう方向Ｄ５（図１０、図１１に示す）に強く引っ張られ、図１２に示すように、弾性片３０における先端縁３６側の軸線Ａ１は基端側の軸線Ａ２に近づこうとする。これにより、弾性片３０は突出壁３８側に大きく撓むこととなり、図３、図８に示すように、突出壁３８と雌ハウジング１４の上面１６Ａとの間に入り込むこととなる。このように、軸線Ａ１は、軸線Ａ２よりも突出壁３８から離れて位置していることから、軸線Ａ１と軸線Ａ２とが同軸上にある場合と比較して、弾性片３０は突出壁３８側により撓み易くなる。
【手続補正４】
【補正対象書類名】明細書
【補正対象項目名】００３２
【補正方法】変更
【補正の内容】
【００３２】
また、レバー１８は、雌ハウジング（ハウジング）１４の上面（外面）１６Ａに突出して設けられた軸部２０が嵌まり込む軸孔２８を有し、係止面４０Ａは、初期位置において軸孔２８から遠い外側から被係止面２２Ａに係止し始めるように、被係止面２２Ａに対して傾いて設けられている。
このように構成することで、係止面４０Ａは、軸孔２８から遠い外側から被係止面２２Ａに係止し始めるように、被係止面２２Ａに対して傾いて設けられていることから、初期位置においては係止面４０Ａと被係止面２２Ａとの間に隙間Ｇが生じることになるものの、レバー１８が強く回動させられた際に、弾性片３０が外側から突出壁３８と雌ハウジング１４の上面１６Ａとの間に向けて押し込まれるように作用する。隙間Ｇがなくなった状態となって係止面４０Ａと被係止面２２Ａが強く係止すると、係止面４０Ａが被係止面２２Ａから外れようとするような大きな力が生じても、係止面４０Ａと被係止面２２Ａの係止状態を維持できる。
【手続補正５】
【補正対象書類名】図面
【補正対象項目名】図１０
【補正方法】変更
【補正の内容】
【図１０】
2020126714.tif 000015
【手続補正６】
【補正対象書類名】図面
【補正対象項目名】図１１
【補正方法】変更
【補正の内容】
【図１１】
2020126714.tif 000016